(57)【要約】開示されるのは、ＭＴＣデバイスに対してＩＰアドレスを割り振り、割り振られたＩＰアドレスを使用してＳＭＳを送信しおよび受信するための方法の実施態様ならびに装置の実施態様である。ある実施例では、パケットデータプロトコル（ＰＤＰ）コンテキストを活性化することなく、ＩＰアドレスをＭＴＣデバイスに割り振ることができる。その上、ＩＰアドレスを割り振った後に、当該ＩＰアドレスを使用してＳＭＳメッセージをＭＴＣデバイスから、またはＭＴＣデバイスへ送信することができる。
2013530600.tif 000002
【特許請求の範囲】
【請求項１】
ネットワークアドレス割り振りのための方法であって、
ユーザ機器（ＵＥ）において、
アタッチ要求をネットワークノードに伝達するステップと、
前記要求に応答してインターネットプロトコル（ＩＰ）アドレスを受信するステップと、
前記受信したＩＰアドレスをネットワークサーバにアドバタイズするステップと
を備えることを特徴とする方法。
【請求項２】
前記ＵＥは、マシンタイプ通信（ＭＴＣ）デバイスであることを特徴とする請求項１に記載の方法。
【請求項３】
前記受信したネットワークアドレスをアドバタイズするステップは、前記ＩＰアドレスをマシンタイプ通信（ＭＴＣ）サーバに伝達するステップを備えることを特徴とする請求項１に記載の方法。
【請求項４】
前記ＩＰアドレスとの関連付けのために加入者識別子を前記ネットワークサーバに伝達するステップを備えることを特徴とする請求項１に記載の方法。
【請求項５】
前記ＵＥはマシンタイプ通信（ＭＴＣ）デバイスであり、
前記ネットワークサーバはＭＴＣサーバであり、
前記加入者識別子は前記ＭＴＣデバイスの国際移動加入者識別番号（ＩＭＳＩ）アドレスである
ことを特徴とする請求項４に記載の方法。
【請求項６】
前記アタッチ要求を前記ネットワークノードに伝達した後に、ネットワークによりパケットデータプロトコル（ＰＤＰ）コンテキストを確立するステップを備えることを特徴とする請求項１に記載の方法。
【請求項７】
ＰＤＰコンテキストを確立するステップは、前記ＩＰアドレスと含むＰＤＰコンテキスト要求を前記ネットワークに送信するステップを備えることを特徴とする請求項６に記載の方法。
【請求項８】
前記ネットワークアドレスは動的に割り当てられることを特徴とする請求項１に記載の方法。
【請求項９】
ショートメッセージサービス（ＳＭＳ）を転送するための方法であって、
インターネットプロトコル（ＩＰ）アドレスを含むショートメッセージサービス（ＳＭＳ）を受信するステップと、
前記ＩＰアドレスに関連する加入者識別子を検索するステップと、
前記加入者識別子に基づいて前記ＳＭＳメッセージをルーティングするステップと
を備えることを特徴とする方法。
【請求項１０】
前記ネットワークアドレスはＩＰアドレスであることを特徴とする請求項９に記載の方法。
【請求項１１】
前記加入者識別子は国際移動加入者識別子（ＩＭＳＩ）アドレスであることを特徴とする請求項９に記載の方法。
【請求項１２】
前記ＩＰアドレスはマシンタイプ通信（ＭＴＣ）デバイスに関連付けられることを特徴とする請求項９に記載の方法。
【請求項１３】
前記ＳＭＳメッセージは、前記ＩＰアドレスがＭＳＩＳＤＮ（mobile station integrated services digital network number）の代わりにルーティングするのに使用されることを示すインジケータを含むことを特徴とする請求項９に記載の方法。
【請求項１４】
前記加入者識別子を検索するステップは、前記ＩＰアドレスを使用してホームロケーションレジスタ（ＨＬＲ）に問い合わせて、前記メッセージをルーティングするための情報を取得するステップを備えることを特徴とする請求項９に記載の方法。
【請求項１５】
前記メッセージをルーティングするための国際移動加入者識別子（ＩＭＳＩ）アドレスを前記ＨＬＲから受信するステップを備えることを特徴とする請求項１４に記載の方法。
【請求項１６】
前記ＩＰアドレスは前記ＳＭＳメッセージの送信先アドレスに位置することを特徴とする請求項９に記載の方法。
【請求項１７】
前記ＩＰアドレスは前記ＳＭＳメッセージのボディに位置し、
前記ＳＭＳメッセージのヘッダは前記ＩＰアドレスが前記ＳＭＳメッセージの前記ボディに位置することを示す
ことを特徴とする請求項９に記載の方法。
【請求項１８】
メッセージを転送するための方法であって、
受信者のデバイスのインターネットプロトコル（ＩＰ）アドレスを含むショートメッセージサービス（ＳＭＳ）メッセージを受信するステップと、
前記ＳＭＳメッセージにインジケータを挿入してネットワークエンティティに対して前記ＩＰアドレスを使用して前記メッセージをルーティングすることを命令するステップと
を備えることを特徴とする方法。
【請求項１９】
前記インジケータは加入者識別子を含むことを特徴とする請求項１８に記載の方法。
【請求項２０】
前記受信者のデバイスはマシンタイプ通信（ＭＴＣ）デバイスであることを特徴とする請求項１８に記載の方法。
【発明の詳細な説明】
【技術分野】
【０００１】
本発明は、無線通信に関する
【背景技術】
【０００２】
本出願は、２０１０年３月３日に出願した米国仮特許出願第６１／３３０、７５９号の利益を主張し、その内容は全体を参照することにより本明細書に組み込まれる。
【０００３】
マシンタイプ通信（ＭＴＣ）デバイスは、例えば、マシンタイプ通信のために装備されるユーザ機器（ＵＥ）と称され、公衆移動通信ネットワーク（ＰＬＭＮ：public land mobile network）を通じてＭＴＣサーバおよび／またはその他のＭＴＣデバイスと通信する。ＭＴＣデバイスはまた、ローカルに（無線により、場合によってはＰＡＮまたは配線接続を通じて）、その他のエンティティと通信する。当該エンティティは、処理ならびにＭＴＣサーバおよび／またはその他のＭＴＣデバイスへの通信のためのローデータ（raw data）をＭＴＣデバイスに提供する。
【０００４】
マシンツーマシン（Ｍ２Ｍ）通信は、スマート計量、ホームオートメーション、ｅヘルス、およびフリート管理などにおいて広範囲な応用を有する。したがって、このような新規のＭ２Ｍサービスを供給することに関連する運用コストを低減する必要がある。さらに、モバイル着信ショートメッセージサービス（ＳＭＳ）転送について、ＳＭＳ関門移動交換局（ＳＭＳ−ＧＭＳＣ）は、ＭＳＩＳＤＮ（mobile station integrated services digital network number）を使用して、ホームロケーションレジスタ（ＨＬＲ）に問い合わせをすることができ、ＨＬＲは、ＭＴＣデバイスに供給することができる、パケットアクセス制御ノード（general packet radio service（GPRS）support node）／移動交換局（ＭＳＣ）へ供給するためのアドレスを提供する。ネットワークは、ＭＳＩＳＤＮ番号を使用してパケットをルーティングすることができる。しかしながら、ＭＳＩＳＤＮ番号が近い将来に不足するおそれがある。したがって、少なくともこの理由で、ＭＳＩＳＤＮ番号を使用することの代替を提供する必要がある。
【発明の概要】
【０００５】
本明細書で開示されるのは、ＭＴＣデバイスに対してＩＰアドレスを割り振り、割り振られたＩＰアドレスを使用してＳＭＳを送信し受信するための方法の実施態様および装置の実施態様である。ある実施態様では、パケットデータプロトコル（ＰＤＰ）コンテキストを活性化せずに、ＩＰアドレスをＭＴＣデバイスに割り振ることができる。さらに、ＩＰアドレスが振り振られた後に、当該ＩＰアドレスを使用してＳＭＳメッセージをＭＴＣデバイスから、およびＭＴＣデバイスへ送信することができる。
【０００６】
ある実施態様では、ＩＰアドレスをＭＴＣデバイスに静的に割り振ることができる。ＭＴＣデバイスがネットワークにアタッチするときに、ＭＴＣデバイスはネットワークに静的ＩＰアドレスを通知することができる。静的ＩＰアドレスはＨＬＲ／ホーム加入者サーバ（ＨＳＳ）に格納することができる。対応するＭＴＣサーバを事前設定して、ＭＴＣデバイスのＩＰアドレスを把握することができる。
【０００７】
別の実施態様では、ＩＰアドレスをＭＴＣデバイスに動的に割り当てることができる。例えば、中継パケット交換機（ＧＧＳＮ：gateway GPRS support node）は、ＭＴＣデバイスがネットワークにアタッチするときに、ＩＰアドレスをＭＴＣデバイスに割り当てることができる。ＩＰアドレスを受信すると、ＭＴＣデバイスはそれから、割り当てられたＩＰアドレスを対応するＭＴＣサーバに通知する。通知メッセージは、ＭＴＣデバイスのＩＰアドレス、およびＭＴＣデバイスについてのデバイスもしくは加入者識別子を含むことができる。当該加入者識別子をＭＴＣサーバおよびＭＴＣデバイスの両方に知らせるので、ＭＴＣサーバはデバイスをＭＴＣデバイスのＩＰアドレスと相互に関連付けることができる。
【図面の簡単な説明】
【０００８】
添付図面と関連して、例示の方法によって与えられる以下の詳細な説明からより詳細な理解が得られるであろう。
【図１】本開示の実施態様に準じて、ネットワークアドレスの割り振りのための例示的な無線ネットワークを示すブロック図である。
【図２】本開示の実施態様に準じて、動的ネットワークアドレスの割り振りの例示的な方法を示すフローチャートである。
【図３】本開示の実施態様に準じて、動的ＩＰアドレスの割り振りのための例示的なプロセスを示すメッセージフローダイヤグラムである。
【図４】本開示の実施態様に準じて、ＳＭＳメッセージを転送する例示的な方法を示すフローチャートである。
【図５】本開示の実施態様に準じて、ネットワークにおけるＭＴ−ＳＭＳ転送を記すメッセージフローダイヤグラムである。
【図６】本開示の実施態様に準じて、ネットワークにおいてＩＰアドレスを伴うＭＯ−ＳＭＳ転送を記すメッセージフローダイヤグラムである。
【発明を実施するための形態】
【０００９】
本明細書で開示されるのは、ＭＴＣデバイスに対しＩＰアドレスを割り振り、割り振られたＩＰアドレスを使用してＳＭＳを送信および受信するための方法の実施態様およびシステムの実施態様である。ある実施態様では、パケットデータプロトコル（ＰＤＰ）コンテキストを活性化せずに、ＩＰアドレスをＭＴＣデバイスに割り振ることができる。さらに、ＭＴＣデバイスのＩＰアドレスを使用して、ＳＭＳメッセージをＭＴＣデバイスから、およびＭＴＣデバイスへ送信することができる。ある実施態様では、ＩＰアドレスを静的に割り振ることができる。別の実施態様では、ＩＰアドレスを動的に割り当てることができる。
【００１０】
図１は、本開示の実施態様に準じて、ネットワークアドレスの割り振りのための例示的な無線ネットワーク１００を示すブロック図である。図１を参照すると、ネットワーク１００はＭＴＣデバイス１０２およびＭＴＣサーバ１０４を含むことができる。ネットワーク１００を通じてＭ２Ｍサービスを提供するのに適切な同意を有する加入者によって、ＭＴＣデバイス１０２を動作させることができる。また、ＭＴＣデバイス１０２は、ＭＴＣ通信のために装備される任意の適切なタイプのＵＥであってもよい。ＭＴＣサーバ１０４は、ネットワーク１００と直接通信することができ、およびネットワーク１００を通じてＭＴＣデバイス１０２およびその他のＭＴＣデバイス（説明の単純化のために図示せず）と間接的に通信することができるエンティティを含むことができる。ＭＴＣサーバ１０４はまた、ＭＴＣユーザにインタフェースを提供することができ、当該ＭＴＣユーザはＭ２Ｍサービスのサービスを使用することができるユーザを含むことができる。ＭＴＣの特徴は、Ｍ２Ｍの応用のために最適化することができるネットワーク機能を含むことができる。
【００１１】
Ｍ２Ｍシステムに対して、ネットワーク１００によって、またはＭＴＣデバイス１０２によってＰＤＰコンテキストを活性化することができる。ＬＴＥでは、ＭＴＣデバイス１０２が最初にネットワーク１００にアタッチするときに、当該ＭＴＣデバイス１０２はＰＤＰコンテキストを取得することができ、ＭＴＣデバイス１０２がネットワーク１００からデタッチするまで当該コンテキストを保持することができる。例示的な実施態様では、ＭＴＣデバイス１０２はＩＰアドレスを有することができ、したがって、ＭＴＣサーバ１０４によって到達可能であることができる。
【００１２】
ＧＰＲＳ／ＵＭＴＳ（universal mobile telecommunications system）では、アタッチプロシージャおよびＰＤＰコンテキストプロシージャが別個であってもよい。例示的な実施態様では、ＰＤＰコンテキストの活性化の最中に（例えば、ユーザがＭＴＣサーバ１０４への接続を望むときに）、ＩＰアドレスを割り当てることができ、または割り振ることもできる。モバイル着信接続をサポートするために、ＭＴＣデバイス１０２はＰＤＰコンテキストを維持する必要がある場合がある。常にＰＤＰコンテキストを維持するには、追加のネットワーク接続が要求される場合がある。長期間ＰＤＰコンテキストを維持することのシグナリングオーバーヘッドおよびコアネットワーク性能の影響は、頻度の低い通信ニーズによる多くのＭＴＣデバイスをサポートするときに弊害をもたらす場合があることに留意されたい。したがって、ＩＰ割り振りプロセスおよびＰＤＰコンテキスト調達プロセスの分離は、ネットワークリソースを節約することができ、ＩＰアドレスによりアタッチされるデバイスを維持する間のシグナリングを減少させることができる。
【００１３】
静的ＩＰアドレス割り振り
実施態様に準じて、ＩＰアドレスをＭＴＣデバイスに静的に割り当てることができ、または割り振ることができる。ＭＴＣデバイスの静的ＩＰアドレスは、ネットワークの開始されたＰＤＰコンテキスト活性化をサポートすることができる。例えば、図１で示されるＧＧＳＮ１０６などのＧＧＳＮは、ＰＤＰアドレスに関連する静的ＰＤＰ情報を維持し、および／または格納することができる。ネットワーク要求されたＰＤＰコンテキスト活性化がＰＤＰアドレスに対してサポートされるかどうかを判定するのに、ＧＧＳＮ１０６はＰＤＰアドレスについての静的ＰＤＰ情報が存在するかどうかをチェックすることができる。
【００１４】
静的ＩＰアドレスの割り振りのための実施態様では、オペレータまたはオペレータ制御されたネットワークノードがＩＰアドレスをＭＴＣデバイスに割り当てることができ、または割り振ることができる。割り振られたＩＰアドレスは固定のままであってもよい。その後、ＭＴＣデバイスは割り振られたＩＰアドレスに関してネットワークに通知してもよい。結果として、対応するＭＴＣサーバはＭＴＣデバイスのＩＰアドレスを検索し、またはＭＴＣデバイスのＩＰアドレスについて別のネットワークノードに問い合わせることができる。
【００１５】
図１の例を参照すると、ＭＴＣデバイスは初期登録中にＰＤＰコンテキストを確立することができる。例えば、ＰＤＰコンテキストはＭＴＣデバイス１０２のスイッチを入れるときに確立することができる。ある実施態様では、ＭＴＣデバイス１０２は、アタッチプロシージャの最中にそのＩＰアドレスをネットワーク１００に通知するか、またはアドバタイズすることができる。例えば、ネットワーク１００にアタッチするときに、ＭＴＣデバイス１０２はそのＩＰアドレスとともに、そのＩＭＳＩまたはその他の加入者識別子を通知することができる。ＭＴＣデバイス１０２のＩＰアドレスを、例えば、ＨＬＲまたはＨＳＳに伝達することができる。ＭＴＣサーバ１０４などの対応するＭＴＣサーバを事前設定して、ＭＴＣデバイス１０２のＩＰアドレスを把握することができる。
【００１６】
ある実施態様では、ＭＯおよびＭＴ接続を、ＰＳドメインにおいて実施することができる。アタッチメッセージにＩＰアドレスを配置することによって、ＭＴＣサーバ１０４はＭＴＣデバイス１０２のＩＰアドレスを検索することができ、ＰＤＰコンテキスト活性化のトリガを要求することができる。
【００１７】
動的ＩＰアドレス割り振り
ある実施態様では、ＩＰアドレスをＭＴＣデバイスに動的に割り当てることができ、または割り振ることができる。例えば、図２は本開示の実施態様に準じて動的ネットワークアドレスの割り振りの例示的な方法を示すフローチャートである。この例示的な方法は、図１に関して説明されるが、任意のその他の適切なネットワークまたはシステムに適用することもできる方法として限定されるものとみなすべきではない。
【００１８】
ここで図２を参照すると、当該方法はネットワークノードにアタッチ要求を伝達するステップを含む（ステップ２００）。ＳＧＳＮ１０８は、割り振られたＩＰアドレスをＭＴＣデバイスに転送することができる。例えば、ＳＧＳＮ１０８は割り振られたＩＰアドレスを含むアタッチ応答をＭＴＣデバイス１０２に送信することができる。
【００１９】
図２の方法は、ネットワークノードにアタッチ要求を伝達するステップを含むことができる（ステップ２０２）。例えば、図１を参照すると、ネットワーク１００にアタッチするときにＩＰアドレスをＭＴＣデバイスに割り当てることができる。この例では、ＧＧＳＮ１０６はＩＰアドレスをＭＴＣデバイス１０２に割り当てることができる。ＳＧＳＮ１０８は、ＩＰアドレスを生成する要求をＧＧＳＮ１０６に送信することができ、それに応じて、ＭＴＣデバイス１０２に割り振られたＩＰアドレスをＧＧＳＮ１０６から受信することができる。
【００２０】
図２の方法は、受信したＩＰアドレスをネットワークサーバにアドバタイズするステップを含む（ステップ２０４）。ＩＰアドレスを受信したことに応答して、ＭＴＣデバイス１０２はメッセージを介して、割り振られたＩＰアドレスをＭＴＣサーバ１０４に通知することができる。このようなメッセージは、割り振られたＩＰアドレス、およびＭＴＣデバイス１０２のデバイスもしくは加入者識別子を含むことができる。加入者もしくはデバイス識別子を、ＭＴＣサーバ１０４およびＭＴＣデバイス１０２の両方に知らせるので、ＭＴＣサーバ１０４は、ＭＴＣデバイス１０２を当該ＭＴＣデバイス１０２のＩＰアドレスと相互に関連付けることができる。メッセージはまた、性能およびサポートされる特徴などのＭＴＣデバイスに関する情報を含むことができる。さらに、ＭＴＣデバイス１０２はまた、ＭＴＣデバイス１０２を登録することができるＰＬＭＮ識別子（例えば、ＭＣＣとＭＮＣ）をＭＴＣサーバ１０４に示すことができる。
【００２１】
ＩＰアドレスをアドバタイズした後に、ＭＴＣサーバ１０４およびＭＴＣデバイス１０２は、ＩＰアドレスを介して通信することができる。例えば、ＭＴＣデバイス１０２は、ＭＴＣサーバ１０４と通信する必要がある場合に、ＰＤＰコンテキスト活性化を要求することができる。逆に例えば、ＭＴＣサーバ１０４は、ＭＴＣデバイス１０２と通信する必要がある場合に、ＰＤＰコンテキスト活性化を要求することができる。ＰＤＰコンテキスト活性化を確立している最中に、ＭＴＣデバイス１０２は、当該ＭＴＣデバイス１０２がすでにＩＰアドレスを有していることをネットワークに通知することができる。例えば、ＭＴＣデバイス１０２はＩＰアドレスとともに「ＰＤＰコンテキスト要求」メッセージに「ＰＤＰアドレス」フィールドを生成することができる。ある例では、ＩＰアドレスおよびＭＴＣデバイスのＩＭＳＩに関連する情報をＨＬＲまたはＨＳＳに格納することができる。
【００２２】
図３は、本開示の実施態様に準じて、動的ＩＰアドレス割り振りのための例示的なプロセスを示すメッセージフローダイヤグラムである。例えば、ネットワークにアタッチするときに、ＧＧＳＮ３０２によりＩＰアドレスをＭＴＣデバイス３００に割り当てることができる。図３を参照すると、ＭＴＣデバイス３００は、送信者がＭＴＣであることを示す情報とともに、アタッチ要求をＳＧＳＮ３０４に送信することができる（ステップ３０６）。ＳＧＳＮ３０４は、ＩＰアドレスを生成する要求をＧＧＳＮ３０６へ送信することができ（ステップ３０８）、ＭＴＣデバイス３００に割り当てられたＩＰアドレスをＧＧＳＮ３０６から受信することができる（ステップ３１０）。ＳＧＳＮ３０４は次に、例えばアタッチ応答において、割り当てられたＩＰアドレスをＭＴＣデバイス３００に転送することができる。
【００２３】
図３に示すように、ＩＰアドレスを受信すると、ＭＴＣデバイス３００はＩＰアドレスをネットワークにアドバタイズすることができる。例えば、ＭＴＣデバイス３００は割り当てられたＩＰアドレスを、メッセージを介してＭＴＣサーバ３１４に通知することができる（ステップ３１６）。当該メッセージは、ＭＴＣデバイスのＩＰアドレス、およびデバイス識別子もしくは加入者識別子を含むことができる。デバイス識別子をＭＴＣサーバ３１４およびＭＴＣデバイス３００の両方に知らせることができるので、ＭＴＣサーバ３１４はＭＴＣデバイス３００を当該ＭＴＣデバイス３００のＩＰアドレスと相互に関連付けることができる。メッセージはまた、性能およびサポートされる特徴などのＭＴＣデバイス３００に関する情報を含むことができる。さらに、例えば、ＭＴＣデバイス３００はまた、ＭＴＣデバイス３００を登録することができるＰＬＭＮ−ＩＤ（例えば、ＭＣＣとＭＮＣ）をＭＴＣサーバ３１４に示すことができる。
【００２４】
ＭＴＣサーバ３１４およびＭＴＣデバイス３００はそれから、ＩＰアドレスを介して通信することができる。例えば、ＭＴＣデバイス３００がＭＴＣサーバ３１４と通信を望むときに、当該ＭＴＣデバイス３００はＰＤＰコンテキスト活性化を要求することができる。ＭＴＣサーバ３１４がＭＴＣデバイス３００と通信を望むときに、当該ＭＴＣサーバ３１４はＰＤＰコンテキスト活性化を要求することができる。ＰＤＰコンテキスト活性化を確立している最中に、ＭＴＣデバイス３００は、当該ＭＴＣデバイス３００がすでにＩＰアドレスを有していることをネットワークに通知することができる。例えば、ＭＴＣデバイス３００は、与えられたＩＰアドレスとともに「ＰＤＰコンテキスト要求」メッセージに「ＰＤＰアドレス」フィールドを生成することができる。ＩＰアドレスとＩＭＳＩとの間のリレーションシップは、ＮＨＬＲ／ＨＳＳに格納することができる。
【００２５】
動的アドレス割り振りの例示的な利点は、ＩＰ割り振りプロセスおよびＰＤＰコンテキスト調達プロセスがネットワークリソースを節約できることと、それらを分断することができることとである。例えば、ＰＤＰコンテキストの前に（例えば、ＭＴＣデバイスがアタッチプロシージャを実行するとき）、ＩＰアドレスをＭＴＣデバイスに割り当てることができる。ＭＴＣデバイスは、常にＰＤＰコンテキストを維持することなく動的に割り当てられたＩＰアドレスによりアタッチされたままでいることができる。
【００２６】
ＩＰアドレスを伴うモバイル着信ＳＭＳ
本開示の実施態様に準じて、例えば、モバイル着信ＳＭＳ転送などの、ＳＭＳ送信および／または受信のために、本明細書で開示されるＩＰアドレス割り振りを使用することができる。モバイル着信ＳＭＳは、ＭＴＣサーバによりトリガされ、例えば、情報のダウンロード、およびＭＴＣデバイスへ要求の送信などを行うことができる。本明細書で提供される例において開示されるように、ＭＴＣデバイスはアタッチプロシージャの最中に、当該ＭＴＣデバイスへ割り振られたＩＰアドレスをネットワークに通知するので、ＭＴＣサーバはＭＴＣデバイスのＩＰアドレスを把握することができる。
【００２７】
ある実施態様では、ＩＰアドレスはモバイル着信ＳＭＳメッセージをカプセル化するヘッダに含まれてもよい。例えば、ＭＴＣサーバはサービスセンタへのＳＭＳメッセージをＩＰアドレスとともにカプセル化することができる。別の実施態様では、ＭＴＣサーバはＳＭＳメッセージのボディにあるＩＰアドレスとともにＳＭＳメッセージを送信することができる。通常、ＭＳＩＳＤＮを生成することができるヘッダにおいて、ＭＴＣサーバは事前設定されたＭＳＩＳＤＮを入れることができる。事前設定されたＭＳＩＳＤＮは、ＳＭＳの受信者がＭＴＣデバイスであることを示すことができる。事前設定されたＭＳＩＳＤＮを、例えば、変換テーブルを使用してＭＴＣデバイスが事前にＭＴＣサーバへ提供したことに基づいて、ＭＴＣサーバで生成することができる。別の実施態様では、デバイスのＩＰアドレスを含むことができるヘッダを生成してもよい、例えば、ＳＭＳヘッダフォーマットを調整して、ＩＰアドレスをＳＭＳヘッダに含むことができる。
【００２８】
図４は、本開示の実施態様に準じてＳＭＳメッセージを転送する例示的な方法を示すフローチャートである。この例示的な方法は、図５の例を参照して説明されるが、任意のその他の適切なネットワークまたはシステムに適用することもできる方法として限定されるものとみなすべきではない。図５は、本開示の実施態様に準じてネットワークにおけるＭＴ−ＳＭＳ転送を記すメッセージフローダイヤグラムを示す。図４を参照すると、当該方法はＩＰアドレスを含むＳＭＳメッセージを受信するステップを含む（ステップ４００）。例えば、ＭＴ−ＳＭＳをＩＰアドレスとともに転送する場合に、ＳＭＳサービスセンタ５００は標準転送プロトコルデータユニット（ＴＰＤＵ）などのデータユニットを通じてＳＭＳ−ＧＭＳＣ５０２へＳＭＳメッセージを配信することができ（ＳＭＳ配信）、ＩＰアドレスをデータユニットに関連するパラメータとして含むことができる（ステップ５０４）。ＩＰアドレスは、例えば、ＭＳＩＳＤＮパラメータを置き換えることができるパラメータであってもよい。特に、例えば、ＩＰアドレスをＳＭＳ配信タイプヘッダにおけるＴＰ発信アドレス（ＴＰ−ＯＡ）フィールドに含むことができる。さらに、例えば、データユニットは、ＭＳＩＳＤＮの代わりになるような情報のルーティングとして使用される、または使用されるべきＩＰアドレスを示すフラグ、パラメータ、またはその他のインジケータを含むことができる。ある例では、ＳＭＳ−ＭＡＰインタフェースを修正して、ＭＴ−ＳＭＳ転送をＩＰアドレスとともに受け入れてもよい。ＳＭＳ−ＧＭＳＣ５０２は、ＴＰＤＵを受信し、次にＴＰＤＵのパラメータを調査することができる。ＳＭＳ−ＧＭＳＣ５０２は、ＴＰＤＵに含まれるＩＰアドレスがＴＰＤＵにおけるフラグ、パラメータ、またはその他のインジケータに基づいてルーティングするために使用されることを判定することができる。
【００２９】
ここで図４を参照すると、当該方法はＩＰアドレスに関連する加入者識別子を検索するステップを含むことができる（ステップ４０２）。例えば、ＳＭＳ−ＧＭＳＣ５０２は、ルーティング用にＩＰアドレスが使用されることを判定したことに応答して、当該ＩＰアドレスを使用してＨＬＲ５０６に問い合わせすることができる（ステップ５０８）。ＳＭＳ−ＧＭＳＣ５０２はＩＰアドレスを使用して、ＨＬＲ５０６に問い合わせをすることができる。例えば、図５で記すルーティング情報の送信ステップ５０８は、ＩＰアドレスを使用することができる。ある実施態様では、ＧＳＭ−ＭＡＰインタフェースを修正して、ＭＴ−ＳＭＳ転送をＩＰアドレスとともに受け付けることができる。
【００３０】
ステップ５０８の例を続けると、ＨＬＲ５０６は、ＩＰアドレス、ならびに対応するサービングＳＧＳＮおよび／またはＭＳＣ／ＶＬＲのシグナリングアドレスにマッピングすることができるＩＭＳＩを返すことができ、それらの例がＭＳＣ／ＶＬＲ５１０により図５で記される。ＳＭＳ配信プロシージャは、例えば、ＩＭＳＩアドレスなどのルーティング情報とともにＳＭＳ−ＧＭＳＣ５０２から継続することができる。
【００３１】
図４を参照すると、当該方法は、加入者識別子に基づいてＳＭＳメッセージをルーティングするステップを含む（ステップ４０４）。例えば、ステップ５１２では、ＳＭＳ−ＧＭＳＣ５０２はＳＭＳメッセージを、ＭＳＣ／ＳＧＳＮ５１０へ転送することができる。ＭＳＣはモバイル着信ショートメッセージ転送のために、ＶＬＲから加入者情報を取り出すことができる。取り出しの失敗を（例えば、加入者不在）、原因インジケーションによりＳＭＳ−ＧＭＳＣに示すことができる。それから、ＳＭＳメッセージをＭＳＣから例えば、ＭＴＣデバイスとなりうる移動局（ＭＳ）５１４へ転送することができる（ステップ５１６）。次に、例えば、ＭＳＣ／ＳＧＳＮ５１０はＳＭＳ−ＧＭＳＣ５０２に配信レポートを伝達することができる（ステップ５１８）。次に、ＳＭＳ−ＧＭＳＣ５０２はＨＬＲ５０６に配信レポートを伝達することができ（ステップ５２０）、ＳＭＳ−ＳＣ５００に伝達することができる（ステップ５２２）。
【００３２】
別の実施態様では、ＭＴＣサーバはＩＰアドレスをＳＭＳメッセージのボディに配置したＳＭＳを送信してもよい。通常、ＭＳＩＳＤＮを生成することができるヘッダにおいて、ＭＴＣサーバは、ＳＭＳの受信者がＭＴＣデバイスであることを示すことができ、メッセージのボディがＩＰアドレスを含むことを示すことができる、事前設定されるＭＳＩＳＤＮを入れてもよい。当該事前設定されるＭＳＩＳＤＮをＭＴＣサーバで生成することができる。例えば、当該事前設定されるＭＳＩＳＤＮを、例えば変換テーブルを使用して、ＭＴＣデバイスが事前にＭＴＣサーバへ提供したＰＬＭＮ−ＩＤに基づいて生成することができる。
【００３３】
ＭＳＩＳＤＮを使用して、ＳＭＳメッセージを各々のホームネットワークにおけるデフォルトのＳＭＳ−ＧＭＳＣへルーティングすることができる。異なるＭＳＩＳＤＮ番号を、異なる加入者のために保有することができる。上記説明したように、ＩＰアドレスとＩＭＳＩとの間のリレーションシップをＨＬＲ／ＨＳＳに格納することができる。ＳＭＳ−ＧＭＳＣはＩＰアドレスを使用してＨＬＲに問い合わせることができ、ＨＬＲはＭＴＣデバイスに供給することができるＳＧＳＮ／ＭＳＣのアドレスを提供することができる。一旦、ＳＧＳＮ／ＭＳＣがメッセージを受信すると、ＳＧＳＮ／ＭＳＣは当該メッセージを送信先ＭＴＣデバイスへ送信することができる。
【００３４】
別の実施態様では、ＭＴＣデバイスのＩＰアドレスを含む新規のヘッダをメッセージに備えることができる。この例では、ＩＰアドレスがＭＳＩＳＤＮを置き換えることができる。
【００３５】
ＩＰアドレスを伴うモバイル発信ＳＭＳ転送
本開示の実施態様に準じて、モバイル発信（ＭＯ：mobile originated）ＳＭＳ転送のためにＩＰアドレス割り振りを使用することができる。ある実施態様では、ＭＴＣサーバはＭＳＩＳＤＮを有することができ、ＳＣは、ＨＬＲに格納することができる、シグナリングアドレス、ならびにＩＭＳＩとＭＴＣデバイスもしくはその他のＵＥのＩＰアドレスとの間の関連情報を有することができる。
【００３６】
図６は、本開示の実施態様に準じて、ネットワークにおけるＩＰアドレスを伴うＭＯ−ＳＭＳ転送を記すメッセージフローダイヤグラムを示す。図６を参照すると、ＭＴＣデバイスまたはその他のＵＥなどの移動加入者６００は、送信先アドレスとしてＭＴＣサーバ６０４のＭＳＩＳＤＮを使用して、ＭＳＣ／ＳＧＳＮ６０２へＳＭＳメッセージを送信することができる（ステップ６０６）。移動加入者６００は当該ＭＳＩＳＤＮを知ることができる。
【００３７】
ＭＳＣ／ＳＧＳＮ６０２は、ＳＭＳメッセージを受信することができる。当該メッセージを受信したことに応答して、ＭＳＣ／ＳＧＳＮ６０２は当該メッセージをＳＭＳ−ＩＷＭＳＣ６０８へ転送することができる。移動加入者６００に割り振られたＩＰアドレスを転送メッセージに含むことができる。移動加入者６００のＩＰアドレスが加入データの一部であるので、本明細書で開示される例のように、当該ＩＰアドレスを登録プロシージャの最中にＭＳＣ／ＳＧＳＮ６０２にダウンロードすることができる。
【００３８】
ＭＳＣ／ＳＧＳＮ６０２は、この割り振られたＩＰアドレスをＳＭＳサービスセンタ（ＳＭＳ−ＳＣ）６１２への発信ＳＭＳメッセージに追加することができる。例えば、当該ＩＰアドレスをＳＭＳ−ＳＵＢＭＩＴタイプヘッダにおけるＴＰ送信先アドレス（ＴＰ−ＤＡ）フィールドに含むことができる。ＳＭＳ−ＩＷＭＳＣ６０８はＳＭＳメッセージをＳＭＳ−ＳＣ６１２へ転送することができる（ステップ６１４）。ＳＭＳ−ＳＣ６１２での受信の後に、ＳＭＳ−ＳＣ６１２は、例えば、ＳＳ７シグナリングを使用してＳＭＳメッセージをＭＴＣサーバ６０４へ転送することができる（ステップ６１６）。例えば、ＭＴＣサーバ６０４のＭＳＩＳＤＮを送信先アドレスとして使用することができる。ある例では、ＩＰアドレスをＳＭＳメッセージのボディに含むことができる。次に、例えば、ＳＭＳ−ＳＣ６１２はＳＭＳ−ＩＷＭＳＣ６１４に配信レポートを伝達することができる（ステップ６２０）。次に、ＳＭＳ−ＩＷＭＳＣ６１４はＭＳＣ／ＳＧＳＮ６０２に配信レポートを伝達することができる（ステップ６２２）。次に、ＭＳＣ／ＳＧＳＮ６０２は、移動加入者６００に配信レポートを伝達することができる（ステップ６２４）。
【００３９】
特徴および要素を特定の組み合わせで上記説明したが、当業者であれば各特徴または要素を単独でまたはその他の特徴および要素を野任意の組み合わせで使用してもよいことが理解できるであろう。さらに、本明細書で説明される方法はコンピュータまたはプロセッサにより実行するためのコンピュータ可読媒体に組み込まれるコンピュータプログラム、ソフトウェア、またはファームウェアにおいて実装することができる。コンピュータ可読媒体の例は、電子信号（無線または有線接続を通じて送信される）およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、磁気光学媒体、ならびに、ＣＤ−ＲＯＭディスクおよびデジタル多用途ディスク（ＤＶＤ）などの光学媒体を含む。ソフトウェアに関連するプロセッサを使用して、ＷＴＲＵ、ＵＥ、端末、基地局、ＲＮＣ、または任意のホストコンピュータにおいて使用するための無線周波数トランシーバを実装してもよい。
【００４０】
本明細書で説明される例示的な実施態様は、ＩＰアドレスのコンテキストにおいて実現されるが、当該技術がその他のネットワークアドレスに適用することが理解されよう。種々の図面と関連して種々の実施形態を説明したが、その他の類似する実施態様を使用することができ、またはそこから逸脱することなく種々の実施態様の同一の機能を実行するために、説明した実施態様に修正および追加をすることができることが理解されよう。したがって、当該実施態様は任意の単一の実施態様に限定されるべきでなく、むしろ、添付の特許請求の範囲に準じた幅および範囲で解釈されるべきである。
【図１】
2013530600.tif 000003
【図２】
2013530600.tif 000004
【図３】
2013530600.tif 000005
【図４】
2013530600.tif 000006
【図５】
2013530600.tif 000007
【図６】
2013530600.tif 000008
【国際調査報告】
2013530600.tif 000009
2013530600.tif 000010
2013530600.tif 000011
2013530600.tif 000012
2013530600.tif 000013